(57)【要約】【課題】止水壁を好適に形成することができる止水壁部材を提供することを目的とする。【解決手段】止水壁部材は、枠体と袋体を備える。枠体は、複数の棒状部材を立体的に組み立てて形成される。袋体は、枠体を収容する。枠体が収容された袋体の内部空間は、中詰め材を収容する空間となる。【選択図】図１
2014037684.tif 000002
【特許請求の範囲】
【請求項１】
複数の棒状部材を立体的に組み立てて形成される枠体と、
前記枠体を収容する袋体と、を備え、
前記枠体が収容された前記袋体の内部空間は、中詰め材を収容する空間となる、止水壁部材。
【請求項２】
前記袋体は、前記袋体の底側とは反対となる側が開口した有底筒状である、請求項１に記載の止水壁部材。
【請求項３】
前記枠体は、前記袋体に収容された状態で前記袋体の底側となる底部が第一の四角状で、且つ、前記底部とは反対となる側の天部が第二の四角形状である立体形状の各辺部に、前記棒状部材が配置された枠状に形成されている、請求項１に記載の止水壁部材。
【請求項４】
前記袋体は、前記袋体の底側とは反対となる側が、前記第二の四角形状に対応した状態で開口した有底筒状である、請求項３に記載の止水壁部材。
【請求項５】
前記袋体は、前記第二の四角形状に対応した状態で開口した前記袋体の開口縁辺部がそれぞれ管状に形成され、
前記枠体及び前記袋体は、前記第二の四角形状に配置された前記各棒状部材が、前記第二の四角形状に対応した状態で開口した前記袋体の前記開口縁辺部にそれぞれ内包された状態で、連結されている、請求項４に記載の止水壁部材。
【発明の詳細な説明】
【技術分野】
【０００１】
本発明は、水の浸入又は漏出を防ぐための止水壁を形成する止水壁部材に関する。
【背景技術】
【０００２】
水の浸入又は漏出を防ぐための技術が提案されている。特許文献１には、剛性箱体と、水袋から構成される水嚢が開示されている。剛性箱体は、４枚の硬質合成樹脂製の側板と硬質合成樹脂製の底板により組み立てられる上方が開口した箱体である。水袋は、剛性箱体の中に設置される軟質合成樹脂製の袋である。
【０００３】
特許文献２には、自立性を兼ねた土のう袋が開示されている。土のう袋は、底面形が三角形で、不織布を用いて筒状の袋を縫製し、袋の中に吸水性高分子を入れて構成される。吸水性高分子は、水にて膨潤する。土のう袋は、袋の中の吸水性高分子のゲルが、外へ流出しないように紐で上部が縛られる。筒状の袋の中には、折り畳み可能な構造体が入れられる。構造体は、３つの平面によって形成される。構造体は、底面形が三角形である筒状の袋の内周面に沿った状態で、この袋の中に入れられる。
【０００４】
特許文献３には、簡易堤体が開示されている。簡易堤体は、透水性の布状資材に高吸水性樹脂物を充填した基体を立体フレーム内に収納してなる。立体フレームは、折畳み式である。また、立体フレームは、４方向ジョイント及び３方向ジョイントといった２種類のジョイントにパイプを差込んで接続して形成される。
【０００５】
特許文献４には、側枠あるいは胴枠付き土嚢袋が開示されている。土嚢袋は、枠体の外面を土嚢袋の内側面に密接してなる。枠体は、布製の土嚢袋の土砂投入口における引締紐を引絞って土砂投入口を閉鎖できる丈を土嚢袋の全長から差引いた長さを高さとする。枠体は、長方形の単板、又は、土嚢袋の胴部周囲長さと同一の長さの外周を有する横断面形状がＬ字型コ字型ロ字型および円筒型等である。枠体が土嚢袋に嵌挿された状態で、枠体と土嚢袋との固定は任意である。
【先行技術文献】
【特許文献】
【０００６】
【特許文献１】登録実用新案第３１２９１９２号公報
【特許文献２】特開２００５−１６０５１号公報
【特許文献３】特開昭６３−７５２０７号公報
【特許文献４】特公昭４７−４２３０２号公報
【発明の概要】
【発明が解決しようとする課題】
【０００７】
水の浸入又は漏出への対策として、土嚢又は水嚢といった止水壁部材によって止水壁が形成されることがある。例えば、洪水のような水害発生時に、応急的に止水壁が形成される。止水壁を好適に形成することができると、水害による被害を防止し、又は、抑制することができる場合もある。止水壁部材によって止水壁を好適に形成するためには、止水壁部材を軽量にする等、止水壁部材を取り扱い易い部材とすることが有効であると考えられる。
【０００８】
水害が発生している場所又は水害の発生が予測される場所に止水壁部材を搬送する場合、止水壁部材が軽量及び／又はコンパクトであれば、止水壁部材の搬送を好適に行うことが可能となると考えられる。なお、止水壁部材を好適に搬送することができれば、止水壁を迅速に形成することもできる。コンパクトな止水壁部材は、水害の発生に備えて保管しておく場合も有効であると考えられる。即ち、保管スペースを抑制することができる。
【０００９】
本発明は、止水壁を好適に形成することができる止水壁部材を提供することを目的とする。
【課題を解決するための手段】
【００１０】
本発明の一側面は、複数の棒状部材を立体的に組み立てて形成される枠体と、前記枠体を収容する袋体と、を備え、前記枠体が収容された前記袋体の内部空間は、中詰め材を収容する空間となる、止水壁部材である。
【００１１】
これによれば、枠体を組み立てて形成し、袋体が枠体を収容するといった構造により、取り扱い易い止水壁部材とすることができる。例えば、水害が発生している場所又は水害の発生が予測される場所に、組み立て前の止水壁部材を搬送し、袋体の内部で、複数の棒状部材を組み立てて枠体を形成し、中詰め材を充填することが可能となる。止水壁部材を隣接させた状態で整列させて止水壁を形成する場合、枠体同士の接触を防止することができる。換言すれば、中詰め材による内圧によって押圧された袋体同士を接触させることができる。複数の棒状部材の組み立て前においては、止水壁部材をコンパクトな状態とすることもできる。止水壁部材は、止水壁を含む概念である。即ち、水の浸入又は漏出を防がなければならない領域が、１個の止水壁部材によって対応可能である場合、前述した領域に配置された１個の止水壁部材は、この領域のための止水壁を形成する。
【００１２】
止水壁部材は、次のようにしてもよい。前記袋体は、前記袋体の底側とは反対となる側が開口した有底筒状である、ようにしてもよい。これによれば、中詰め材を開口から好適に充填することができる。
【００１３】
また、前記枠体は、前記袋体に収容された状態で前記袋体の底側となる底部が第一の四角状で、且つ、前記底部とは反対となる側の天部が第二の四角形状である立体形状の各辺部に、前記棒状部材が配置された枠状に形成されている、ようにしてもよい。これによれば、止水壁を形成する個々の止水壁部材を安定した状態とすることができる。複数の止水壁部材を所定の方向に隣接させた状態で整列させて止水壁を形成する場合において、隣り合う止水壁部材同士の接触が面接触となり、密接した状態とすることができる。従って、より好適な止水を実現することが可能となる。前述した立体形状が直方体又は立方体で、枠体が直方体又は立方体の各辺部に棒状部材を配置した枠状である場合、第一の四角形状及び第二の四角形状は、同一の四角形状となる。
【００１４】
前記袋体は、前記袋体の底側とは反対となる側が、前記第二の四角形状に対応した状態で開口した有底筒状である、ようにしてもよい。これによれば、中詰め材を開口から好適に充填することができる。
【００１５】
前記袋体は、前記第二の四角形状に対応した状態で開口した前記袋体の開口縁辺部がそれぞれ管状に形成され、前記枠体及び前記袋体は、前記第二の四角形状に配置された前記各棒状部材が、前記第二の四角形状に対応した状態で開口した前記袋体の前記開口縁辺部にそれぞれ内包された状態で、連結されている、ようにしてもよい。これによれば、枠体と袋体の連結を好適に行うことができる。シンプルな構造の止水壁部材とすることができる。
【発明の効果】
【００１６】
本発明によれば、止水壁を好適に形成することができる止水壁部材を得ることができる。
【図面の簡単な説明】
【００１７】
【図１】第一例の止水壁部材の概略を示す斜視図である。
【図２】第一例の止水壁部材が備える枠体の概略を示す斜視図である。
【図３】枠体が袋体に収容された状態を示す図である。（Ａ）は、図１に示すＡ−Ａ線断面図である。（Ｂ）は、図１に示すＢ−Ｂ線断面図である。
【図４】第二例の止水壁部材の概略を示す斜視図である。
【図５】第二例の止水壁部材が備える枠体の概略を示す斜視図である。
【図６】第一例の止水壁部材と、第二例の止水壁部材によって形成された止水壁の概略を示す斜視図である。
【発明を実施するための形態】
【００１８】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１９】
＜止水壁部材＞
止水壁部材について、第一例の止水壁部材１０Ａと、第二例の止水壁部材１０Ｂを説明する。第二例については、第一例と相違する点を中心に説明することとし、同様の点についての説明は、適宜省略する。図１〜図５に示すＺ方向は、鉛直方向に対応し、第一側は、鉛直方向の下側、第二側は、鉛直方向の上側にそれぞれ対応する（図６において同じ）。
【００２０】
＜第一例＞
止水壁部材１０Ａについて、図１〜図３を参照して説明する。止水壁部材１０Ａは、図１に示すように、枠体１２Ａと、袋体１４Ａを備える。枠体１２Ａは、図２に示すように、１２本の棒状部材１６１〜１７２を組み立てて形成される。本実施形態では、棒状部材１６１〜１７２を区別せず、又は、これらを総称する場合、棒状部材１６という。複数の棒状部材１６は、例えば、金属製又は樹脂製のパイプ又は中実棒によってそれぞれ形成される。枠体１２Ａは、図２に示すように、底部が幅Ｗ１で奥行きＤ１の長方形状で、且つ、天部が幅Ｗ１で奥行きＤ２（Ｄ２＜Ｄ１）の長方形状である立体形状の各辺部に、棒状部材１６が配置された枠状である。枠体１２Ａの底部は、枠体１２Ａが袋体１４Ａに収容された状態（図１参照）において、Ｚ方向の第一側となる部分で、棒状部材１６１，１６２，１６５，１６６によって形成される。枠体１２Ａの天部は、底部とは反対となる側、即ち、Ｚ方向の第二側の部分で、棒状部材１６３，１６４，１６７，１６８によって形成される。
【００２１】
図２に示す枠体１２Ａでは、棒状部材１６１と棒状部材１６９の間の角度θ１と、棒状部材１６１と棒状部材１７１の間の角度θ２は、同一（θ１＝θ２）である。棒状部材１６２と棒状部材１７０の間の角度はθ１であり、棒状部材１６２と棒状部材１７２の間の角度はθ２である。
【００２２】
棒状部材１６５と棒状部材１６９の間の角度と、棒状部材１６５と棒状部材１７０の間の角度と、棒状部材１６６と棒状部材１７１の間の角度と、棒状部材１６６と棒状部材１７２の間の角度は、何れも９０°である。棒状部材１６７と棒状部材１６９の間の角度と、棒状部材１６７と棒状部材１７０の間の角度と、棒状部材１６８と棒状部材１７１の間の角度と、棒状部材１６８と棒状部材１７２の間の角度は、何れも９０°である。
【００２３】
枠体１２Ａを図２に示すような立体形状とする場合、棒状部材１６１，１６２は、所定の同一寸法（Ｄ１）となる。棒状部材１６３，１６４は、所定の同一寸法（Ｄ２）となる。棒状部材１６５，１６６，１６７，１６８は、所定の同一寸法（Ｗ１）となる。棒状部材１６９，１７０，１７１，１７２は、所定の同一寸法となる。
【００２４】
１２本の棒状部材１６は、図２に示すように、８個のジョイント１８を用いて立体的な枠状に組み立てられる。ジョイント１８には、Ｘ方向と、Ｙ方向と、棒状部材１６９，１７０，１７１，１７２の各傾斜角に対応した方向の３方向にそれぞれ開口した３個の挿入口が設けられている。棒状部材１６の組み立ては、棒状部材１６の端部を、ジョイント１８の挿入口に適宜嵌め込み行われる。棒状部材１６の端部とジョイント１８の挿入口は、着脱自在な状態とされる。即ち、ジョイント１８を介して複数の棒状部材１６を組み立てて形成された枠体１２Ａは、組み立て前の状態に分解することができる。
【００２５】
袋体１４Ａは、図１に示すように、枠体１２Ａを収容する。袋体１４Ａは、図３（Ａ），（Ｂ）に示すように、枠体１２Ａを収容する内部空間Ｓが枠体１２Ａに対応した形状を有する。枠体１２Ａが収容された袋体１４Ａの内部空間Ｓは、中詰め材を収容する空間となる。中詰め材としては、水又は土等が例示される。なお、中詰め材として内部空間Ｓに水が収容される場合、止水壁部材１０Ａは、水嚢となる。中詰め材として内部空間Ｓに土が収容される場合、止水壁部材１０Ａは、土嚢となる。
【００２６】
袋体１４Ａは、既に実用化された土嚢又は水嚢が備える袋体と同様、可撓性を有する素材によって形成される。中詰め材が水である場合、袋体１４Ａは、貯水機能を備える。この場合、袋体１４Ａは、例えば、布製の袋体の内面又は外面に、シリコン、ゴム又はビニル等の樹脂製の袋体を設けた２重構造、又は、シリコン、ゴム又はビニル等の樹脂の層を形成した２層構造とするようにしてもよい。袋体１４Ａの内部空間Ｓに中詰め材が収容されると、中詰め材による内圧によって、袋体１４Ａの外面は、Ｘ方向及びＹ方向に膨れる。
【００２７】
袋体１４Ａは、Ｚ方向の第一側に底部が形成され、Ｚ方向の第二側が開口した有底筒状である。なお、Ｚ方向の第一側は、袋体１４Ａにおいて底部が形成される側であるため、袋体１４Ａの底側（止水壁部材１０Ａの底側）ということもできる。また、Ｚ方向の第二側は、袋体１４Ａの底側とは反対となる側ということもできる。
【００２８】
Ｚ方向の第二側における袋体１４Ａの開口は、枠体１２Ａの天部がなす長方形状（幅×奥行き：Ｗ１×Ｄ２）に対応した形状である（例えば、図１及び図２参照）。袋体１４Ａの開口縁辺部２０，２１，２２，２３は、図３（Ａ），（Ｂ）に示すように、管状に形成される。管状の開口縁辺部２０，２１，２２，２３は、例えば、Ｚ方向の第二側において、袋体１４Ａの各端部を、第一側に折り返し、重なり合わせた所定の位置で、糸２４によって縫い合わせて形成される。なお、管状の開口縁辺部２０，２１，２２，２３は、縫製とは異なる方法で形成するようにしてもよい。例えば、ボタン、ホック又はファスナのような公知の部材を用いて形成するようにしてもよい。
【００２９】
開口縁辺部２０には、棒状部材１６３が挿通され、棒状部材１６３は、開口縁辺部２０に内包された状態となる（図３（Ａ）参照）。開口縁辺部２１には、棒状部材１６４が挿通され、棒状部材１６４は、開口縁辺部２１に内包された状態となる（図３（Ａ），（Ｂ）参照）。開口縁辺部２２には、棒状部材１６７が挿通され、棒状部材１６７は、開口縁辺部２２に内包された状態となる（図３（Ｂ）参照）。開口縁辺部２３には、棒状部材１６８が挿通され、棒状部材１６８は、開口縁辺部２３に内包された状態となる（図３（Ａ），（Ｂ）参照）。
【００３０】
止水壁部材１０Ａを使用しない場合、止水壁部材１０Ａは、例えば、次のような状態とされ、保管される。即ち、棒状部材１６３，１６４，１６７，１６８は、開口縁辺部２０，２１，２２，２３にそれぞれ内包され、４個のジョイント１８（図１に図示された４個のジョイント１８参照）によって、長方形状に組み立てられた状態とされる。残り８本の棒状部材１６１，１６２，１６５，１６６，１６９〜１７２は、分解された状態で、残り４個のジョイント１８と共に保管される。袋体１４Ａは、折り畳む等される。止水壁部材１０Ａを使用しない場合、止水壁部材１０Ａをコンパクトな状態とし、好適に保管することができる。棒状部材１６１，１６２，１６５，１６６，１６９〜１７２と、４個のジョイント１８（図２でＺ方向の第一側に図示された４個のジョイント１８参照）を、袋体１４Ａの内部に収納しておくようにしてもよい。
【００３１】
棒状部材１６３，１６４，１６７，１６８についても分解し、開口縁辺部２０，２１，２２，２３から抜き取るようにしてもよい。この場合、１２本の棒状部材１６と８個のジョイント１８を、袋体１４Ａの内部に収納しておくようにしてもよい。
【００３２】
＜第二例＞
止水壁部材１０Ｂについて、図４及び図５を参照して説明する。止水壁部材１０Ｂは、第一例の止水壁部材１０Ａと同様、枠体１２Ｂと、袋体１４Ｂを備える。本実施形態では、枠体１２Ｂ及び袋体１４Ｂを形成する各部のための符号は、第一例における枠体１２Ａ及び袋体１４Ａを形成する各部と同一とする。
【００３３】
枠体１２Ｂは、１２本の棒状部材１６を組み立てて形成される。棒状部材１６は、第一例の場合と同様である。そのため、これに関する説明は省略する。枠体１２Ｂは、図５に示すように、底部及び天部が共に幅Ｗ２で奥行きＤ３の長方形状である立体形状（直方体）の各辺部に、棒状部材１６が配置された枠状である。図５に示す枠体１２Ｂでは、２本の棒状部材１６の間の角度は、何れも９０°である。
【００３４】
１２本の棒状部材１６は、図５に示すように、８個のジョイント１８を用いて直方体状の枠状に組み立てられる。ジョイント１８には、Ｘ方向、Ｙ方向及びＺ方向の３方向にそれぞれ開口した３個の挿入口が設けられている。ジョイント１８と、ジョイント１８を介した１２本の棒状部材１６の組み立ては、第一例の場合と同様である。そのため、これらに関する説明は省略する。
【００３５】
袋体１４Ｂは、図４に示すように、枠体１２Ｂを収容する。袋体１４Ｂは、第一例の袋体１４Ａと同様、枠体１２Ｂを収容する内部空間Ｓが枠体１２Ｂに対応した形状を有する。枠体１２Ｂが収容された袋体１４Ｂの内部空間Ｓは、中詰め材を収容する空間となる。中詰め材としては、水又は土等が例示される。なお、中詰め材として内部空間Ｓに水が収容される場合、止水壁部材１０Ｂは、水嚢となる。中詰め材として内部空間Ｓに土が収容される場合、止水壁部材１０Ｂは、土嚢となる。
【００３６】
袋体１４Ｂは、既に実用化された土嚢又は水嚢が備える袋体と同様、可撓性を有する素材によって形成される。中詰め材が水である場合、袋体１４Ｂは、貯水機能を備える。この点は、袋体１４Ａと同様であるため、これに関する説明は省略する。袋体１４Ｂの内部空間Ｓに中詰め材が収容されると、中詰め材による内圧によって、袋体１４Ｂの外面は、Ｘ方向及びＹ方向に膨れる。
【００３７】
袋体１４Ｂは、Ｚ方向の第一側に底部が形成され、Ｚ方向の第二側が開口した有底筒状である。Ｚ方向の第二側における袋体１４Ｂの開口は、枠体１２Ｂの天部がなす長方形状（幅×奥行き：Ｗ２×Ｄ３）に対応した形状である（例えば、図４及び図５参照）。袋体１４Ｂの開口縁辺部２０，２１，２２，２３は管状に形成される。棒状部材１６３，１６４，１６７，１６８は、開口縁辺部２０，２１，２２，２３にそれぞれ内包された状態となる。この点については、第一例の場合と同様である。そのため、これに関する説明は省略する。
【００３８】
止水壁部材１０Ｂも、止水壁部材１０Ａと同様、使用しない場合、コンパクトな状態で好適に保管することができる。この点に関する説明は、上記同様であるため、省略する。
【００３９】
＜止水壁＞
止水壁５０は、例えば、図６に示すように、複数の止水壁部材１０Ａ，１０ＢをＸ方向に隣接させた状態で整列させて形成される。図６に示す例では、止水壁５０は、止水壁５０のＸ方向の両側に止水壁部材１０Ｂを配置し、その間に止水壁部材１０Ａを配置した構成を有する。但し、このような止水壁部材１０Ａ，１０Ｂの配置は例示である。止水壁部材１０Ａ，１０Ｂの配置は、適宜決定される。
【００４０】
例えば、止水壁５０のＸ方向の両側に止水壁部材１０Ａを配置し、その間に止水壁部材１０Ｂを配置した構成としてもよい。止水壁部材１０Ｂによる部分については、Ｙ方向にも止水壁部材１０Ｂを接触させた状態で配置させるようにしてもよい。この他、止水壁５０を１種類の止水壁部材１０Ａ又は止水壁部材１０Ｂによって構成するようにしてもよい。止水すべき領域が１個の止水壁部材１０Ａ又は止水壁部材１０Ｂによって対応可能である場合、１個の止水壁部材１０Ａ又は止水壁部材１０Ｂによって止水壁５０が形成される場合もある。
【００４１】
止水壁５０を形成する場合の概略について説明する。この説明では、止水壁部材１０Ａ，１０Ｂを区別せず、又は、これらを総称して、止水壁部材１０という。同様に、枠体１２Ａ，１２Ｂを、枠体１２といい、袋体１４Ａ，１４Ｂを、袋体１４という。止水壁部材１０は、棒状部材１６３，１６４，１６７，１６８が開口縁辺部２０，２１，２２，２３にそれぞれ内包され、４個のジョイント１８（図１又は図４に図示された４個のジョイント１８参照）によって、長方形状に組み立てられた状態で保管されているとする。中詰め材は、水であるとする。
【００４２】
例えば、洪水のような水害が発生し又はその発生が予測される場合、作業者は、保管場所から水害の発生場所又は水害の発生が予測される場所に、組み立て前の止水壁部材１０を搬送する。作業者は、袋体１４の内部で、ジョイント１８を介して、棒状部材１６１，１６２，１６５，１６６，１６９〜１７２を組み立て、枠体１２を形成する。これによって、止水壁部材１０が形成される。作業者は、必要な個数分だけ止水壁部材１０を形成する。その後、作業者は、止水すべき領域に対し、止水壁部材１０を、例えば、図６に示すような状態に整列させる。続けて、作業者は、Ｚ方向の第二側に形成された開口から内部空間Ｓに水を注入する。水は、水道水の蛇口に、ホースを接続する等して行うと、容易に注入することができる。
【００４３】
袋体１４に水を注入すると、内部空間Ｓに収容された水によって、袋体１４の外面は、Ｘ方向及びＹ方向に膨れる。袋体１４が、止水壁部材１０が整列されたＸ方向に膨れると、Ｘ方向に隣接する止水壁部材１０同士の間が密接した状態となり、この間の隙間をなくすことができる。Ｘ方向に隣接させた状態で整列させた複数の止水壁部材１０を、一体的な止水壁５０とすることができる。
【００４４】
なお、Ｙ方向に止水壁部材１０Ｂを接触させた状態で配置させた場合、袋体１４Ｂの外面がＹ方向に膨れることで、Ｙ方向に隣接する止水壁部材１０Ｂ同士の間が密接した状態となり、この間の隙間をなくすことができる。
【００４５】
＜本実施形態の効果＞
本実施形態によれば、次のような効果を得ることができる。
【００４６】
（１）枠体１２Ａを複数の棒状部材１６を組み立てて形成する構造とし、袋体１４Ａが枠体１２Ａを収容する止水壁部材１０Ａとした。また、枠体１２Ｂを複数の棒状部材１６を組み立てて形成する構造とし、袋体１４Ｂが枠体１２Ｂを収容する止水壁部材１０Ｂとした。そのため、取り扱い易い止水壁部材１０Ａ，１０Ｂとすることができる。水害が発生している場所又は水害の発生が予測される場所に、組み立て前の止水壁部材１０Ａを搬送し、袋体１４Ａの内部で、複数の棒状部材１６を組み立てて枠体１２Ａを形成し、中詰め材を充填することが可能となる。止水壁部材１０Ｂについても、前述した場所に、組み立て前の止水壁部材１０Ｂを搬送し、袋体１４Ｂの内部で、複数の棒状部材１６を組み立てて枠体１２Ｂを形成し、中詰め材を充填することが可能となる。
【００４７】
（２）止水壁部材１０Ａでは、枠体１２Ａを、底部が幅Ｗ１で奥行きＤ１の長方形状で、且つ、天部が幅Ｗ１で奥行きＤ２の長方形状である立体形状の各辺部に、棒状部材１６が配置された枠状とした（図２参照）。止水壁部材１０Ｂでは、枠体１２Ｂを、底部及び天部が共に幅Ｗ２で奥行きＤ３の長方形状である立体形状（直方体）の各辺部に、棒状部材１６が配置された枠状とした（図５参照）。
【００４８】
そのため、止水壁５０を形成する個々の止水壁部材１０Ａ，１０Ｂを安定した状態とすることができる。止水壁５０を形成する場合において、隣り合う止水壁部材１０Ａ及び／又は止水壁部材１０Ｂ同士の接触が面接触となり、密接した状態となる。従って、より好適な止水を実現することが可能となる。枠体１２Ａは袋体１４Ａに収容され、枠体１２Ｂは袋体１４Ｂに収容されている。そのため、複数の止水壁部材１０Ａ及び／又は止水壁部材１０Ｂ同士を隣接させた状態で整列させて止水壁５０を形成する場合、枠体１２Ａ及び／又は枠体１２Ｂ同士の接触を防止することができる。換言すれば、中詰め材による内圧によって押圧された、袋体１４Ａ及び／又は袋体１４Ｂ同士を接触させることができる。
【００４９】
（３）袋体１４Ａ，１４Ｂについて、開口縁辺部２０，２１，２２，２３を管状とし、棒状部材１６３，１６４，１６７，１６８を、開口縁辺部２０，２１，２２，２３にそれぞれ内包させた状態とした。そのため、枠体１２Ａを組み立て、枠体１２Ａが袋体１４Ａに収容され、又は、枠体１２Ｂを組み立て、枠体１２Ｂが袋体１４Ｂに収容された状態で、Ｚ方向の第二側に形成された開口から、中詰め材を好適に充填することができる。枠体１２Ａ及び袋体１４Ａの連結と、枠体１２Ｂ及び袋体１４Ｂの連結を好適に行うことができる。シンプルな構造の止水壁部材１０Ａ，１０Ｂとすることができる。
【００５０】
＜変形例＞
本実施形態は、次のようにすることもできる。
【００５１】
（１）上記では、複数の棒状部材１６が何れも直線状である場合を例に説明した（図２又は図５参照）。例えば、棒状部材１６５，１６７及び／又は棒状部材１６６，１６８は、円弧状であるようにしてもよい。棒状部材１６５，１６７及び／又は棒状部材１６６，１６８を円弧状とした場合、止水壁部材において、Ｙ方向に垂直な面（棒状部材１６５，１６９，１６７，１７０によって形成される面、及び／又は、棒状部材１６６，１７１，１６８，１７２によって形成される面）を、凸状面又は凹状面とすることができる。
【００５２】
（２）上記では、枠体１２Ａ，１２Ｂを、１２本の棒状部材１６を８個のジョイント１８を介して組み立てて形成した。棒状部材は、上述した１２本の棒状部材１６のうちの複数本によって形成される形状に対応した一体的な部材としてもよい。例えば、棒状部材１６９，１６１，１７１によって形成される形状に対応した一体的なＵ字状の棒状部材とし、棒状部材１７０，１６２，１７２によって形成される形状に対応した一体的なＵ字状の棒状部材としてもよい。このようなＵ字状の棒状部材は、直線状の棒状部材１６５，１６６との各接合位置に、ジョイント１８のような挿入口（Ｘ方向に開口）を有し、棒状部材１６５，１６６の各端部は、これら挿入口にそれぞれ嵌め込まれる。
【００５３】
枠体の天部に関し、棒状部材１６３，１６８，１６４，１６７によって形成される形状（幅×奥行き：Ｗ１×Ｄ２（図２参照）又はＷ２×Ｄ３（図５参照））に対応した一体的な長方形状の棒状部材としてもよい。このような長方形状の棒状部材は、直線状の棒状部材１６９，１７０，１７１，１７２との各接合位置に、ジョイント１８のような挿入口を有し、棒状部材１６９，１７０，１７１，１７２の各端部は、これら挿入口にそれぞれ嵌め込まれる。棒状部材１６９，１６１，１７１及び棒状部材１７０，１６２，１７２が上述したようなＵ字状の棒状部材である場合についても同様である。
【００５４】
また、枠体は、折り畳み可能な構造としてもよい。例えば、棒状部材１６９，１７０，１７１，１７２に対応する４本の棒状部材のそれぞれは、中央部で折り曲げ可能な構造とされる。折り曲げ可能な４本の棒状部材のそれぞれは、枠体の天部及び底部との接合位置において、所定の方向に回動可能な構造とされる。止水壁部材を保管する場合、枠体は、前述した４本の棒状部材のそれぞれが折り曲げられ、袋体の内部で、枠体の天部と底部が接近した状態とされる。止水壁部材によって止水壁を形成する場合、折り畳まれた枠体は、袋体の内部で、４本の棒状部材のそれぞれが真っ直ぐな状態とされて組み立てられる。このような構造の枠体では、上述したようなジョイント１８は省略される。
【００５５】
（３）上記では、袋体１４Ａ，１４ＢがＺ方向の第二側が開口した有底筒状である場合を例に説明した（図１又は図４参照）。棒状部材１６３，１６８，１６４，１６７によって形成される枠体１２Ａ，１２Ｂの天部の長方形状に対応した形状の蓋部によって、Ｚ方向の第二側の開口を閉じるようにしてもよい。蓋部は、例えば、袋体１４Ａ又は袋体１４Ｂの開口縁辺部２２の部分に繋がった状態で設けられる。中詰め材が充填された後、この蓋部で開口が覆われ、開口が閉じられる。例えば、ファスナのような部材により、蓋部が開口縁辺部２０，２３，２１の部分にも連結されるようにしてもよい。これにより、開口を好適に閉じることができる。
【符号の説明】
【００５６】
１０Ａ，１０Ｂ，１０  止水壁部材
１２Ａ，１２Ｂ，１２  枠体
１４Ａ，１４Ｂ，１４  袋体
１６，１６１〜１７２  棒状部材
１８  ジョイント
２０，２１，２２，２３  開口縁辺部
２４  糸
【図１】
2014037684.tif 000003
【図２】
2014037684.tif 000004
【図３】
2014037684.tif 000005
【図４】
2014037684.tif 000006
【図５】
2014037684.tif 000007
【図６】
2014037684.tif 000008